(57)【要約】【課題】簡易な構成で、漏れ流量を効果的に抑制しつつ、シール細隙部を通過する旋回流を低減し、振動抑制効果を安定的に得ることができる環状シール構造及び流体機械を提供する。【解決手段】ケーシングと該ケーシングの内部に配置された回転体３の外周面との間に形成された細隙部７を高圧側から低圧側に向かって流通する流体を抑制するシール部の構造である環状シール構造であって、ケーシング側には、溝部１１が設けてあり、回転体３の外周面の溝部１１に対向する位置には、旋回抑制機構１０が設けてあり、旋回抑制機構１０は、回転方向に間隔を空けて少なくとも２つ以上配置された凸部もしくは凹部から構成されている。【選択図】図１
2017075621.tif 000002
【特許請求の範囲】
【請求項１】
ケーシングと該ケーシングの内部に配置された回転体の外周面との間に形成された細隙部を高圧側から低圧側に向かって流通する流体を抑制するシール部の構造であって、
前記ケーシング側には、溝部が設けてあり、
前記回転体の外周面の前記溝部に対向する位置には、旋回抑制機構が設けてあり、
前記旋回抑制機構は、回転方向に間隔を空けて少なくとも２つ以上配置された凸部もしくは凹部から構成されている、環状シール構造。
【請求項２】
前記凸部もしくは前記凹部は、前記細隙部を通過する流れに対して前記回転体の回転逆方向に傾けて設けられている、請求項１記載の環状シール構造。
【請求項３】
前記ケーシング側の前記溝部は、複数設けられ、それらのうち少なくとも１つに対向する位置に前記旋回抑制機構が設けてある、請求項１又は２に記載の環状シール構造。
【請求項４】
さらに、前記ケーシングの前記高圧側には、側壁面に放射状の溝もしくはリブであるスワールブレーカが設けられている、請求項１〜３のいずれか一項に記載の環状シール構造。
【請求項５】
前記旋回抑制機構は、前記高圧側から前記低圧側までの間の回転軸方向の中央部に設けられている、請求項１〜４のいずれか一項に記載の環状シール構造。
【請求項６】
前記旋回抑制機構と対向する前記溝部の前記低圧側の面には、スワールブレーカが設けられている、請求項１〜５のいずれか一項に記載の環状シール構造。
【請求項７】
前記旋回抑制機構は、凸部から構成され、
前記凸部の側面は、前記回転体の前記回転方向に凸である、請求項１〜６のいずれか一項に記載の環状シール構造。
【請求項８】
前記旋回抑制機構は、凹部から構成され、
前記凹部の前記高圧側の端部は、前記溝部の前記高圧側の端部よりも前記高圧側に設けられている、請求項１〜６のいずれか一項に記載の環状シール構造。
【請求項９】
ケーシングと、回転体と、を備え、
請求項１〜８のいずれか一項に記載の環状シール構造を有する、流体機械。
【発明の詳細な説明】
【技術分野】
【０００１】
本発明は、環状シール構造及びこれを備えた流体機械に関するものである。
【背景技術】
【０００２】
流体機械は、静止したケーシングと、このケーシング内に回転可能に配置した回転体と、で構成される。ケーシングと回転体との間には、隙間を封止する環状シール構造が設けられている。
【０００３】
例として、多段遠心ポンプは、回転体である軸と、軸方向に複数段軸に設置した羽根車と、これらの回転体を格納するケーシングと、軸受と、を備えている。環状シール構造は、羽根車の吸込側及び背面側、並びに最終段羽根車の背面側に設けられている。これらの環状シールには、ポンプ効率を低減させる漏れ流量の低減を目的として、溝が設けられたラビリンスシールが用いられる場合がある。
【０００４】
最終段羽根車の背面側に設けられた環状シールは、高圧の吐出圧力が作用するため、漏れ流れを低減するために軸方向長さが長く、かつ、軸推力の平衡機構も兼ねる。（下記特許文献１参照）。
【０００５】
上記のような流体機械においては、軸系の不安定振動を防止することが必要であり、その不安定振動の要因の一つにシール細隙部を通過する流体の励振力がある。この励振力はシール細隙部を通過する流体の速度の周方向成分（旋回流）の影響が大きい。旋回流が増大すると励振力が大きくなり、前記不安定振動の要因となるおそれがある。
【０００６】
この旋回流による振動を抑制する技術として、環状シールの高圧側にスワールブレーカと呼ばれる周方向に間隔を空けて突起もしくは溝を複数設けた形状がある（下記特許文献２参照）。このスワールブレーカにより環状シールの予旋回を低減することで、シール内流体の励振力を低減し、軸系の不安定振動を抑制することができる。
【先行技術文献】
【特許文献】
【０００７】
【特許文献１】特開昭５８−７２６９３号公報
【特許文献２】特許第５４７８３７９号公報
【発明の概要】
【発明が解決しようとする課題】
【０００８】
このように、環状シールにおいては、漏れ流量を抑制することに加えて、軸系の不安定振動を防止するために、シール細隙部を通過する旋回流を抑制する必要がある。
【０００９】
図２に示すように、旋回流の旋回速度は、細隙部に流入する回転体の周方向の予旋回速度にかかわらず、回転壁と静止壁とで挟まれた細隙部を通過することで、概ねシール回転壁周速の半分の値に漸近する。特に、環状シールの軸方向長さが長いほどその傾向が顕著である。そのため、シール入口にスワールブレーカを設けても、効果がシール上流側の旋回流の低減にしか寄与せず、十分な振動抑制効果を得られないという問題があった。
【００１０】
本発明は、簡易な構成により漏れ流量を効果的に抑制しつつ、シール細隙部を通過する旋回流を低減し、振動抑制効果を安定的に得ることができる環状シール及び流体機械を提供することを目的とする。
【課題を解決するための手段】
【００１１】
本発明の環状シール構造は、ケーシングと該ケーシングの内部に配置された回転体の外周面との間に形成された細隙部を高圧側から低圧側に向かって流通する流体を抑制するシール部の構造であって、ケーシング側には、溝部が設けてあり、回転体の外周面の溝部に対向する位置には、旋回抑制機構が設けてあり、旋回抑制機構は、回転方向に間隔を空けて少なくとも２つ以上配置された凸部もしくは凹部から構成されている。
【発明の効果】
【００１２】
本発明によれば、環状シール構造の回転体側に設けられた凸部もしくは凹部がシール細隙部を通過する流体の流れる向きを回転逆方向に転向することによって、旋回流を抑制することができる。これにより、軸系の不安定振動を抑制する効果を得ることが可能となる。さらに、シールに設けられた溝の内部において、流体の流れる向きが径方向外側にも転向することによって、溝出口部の縮流による圧力損失を増大させることができる。これにより、シール漏れ流量の抑制効果を得ることが可能となる。
【図面の簡単な説明】
【００１３】
【図１】実施例１の環状シール構造を備えた横軸多段遠心ポンプを示す要部模式断面図である。
【図２】シール細隙部を通過する流体の旋回速度について、スワールブレーカの有無による違いを示すグラフである。
【図３Ａ】従来の環状シール構造を示す模式拡大断面図である。
【図３Ｂ】実施例１の環状シール構造を示す模式拡大断面図である。
【図３Ｃ】図３ＢのＡ−Ａ断面図である。
【図３Ｄ】図３ＢのＡ−Ａ断面の変形例である。
【図３Ｅ】図３ＢのＡ−Ａ断面の変形例である。
【図４】実施例１の環状シール構造を構成する旋回抑制機構を周方向に展開して示す模式図である。
【図５】図４の旋回抑制機構１０である複数の凸部を回転軸方向に見た部分断面図である。
【図６】実施例２の環状シール構造を示す模式拡大断面図である。
【図７】実施例３の環状シール構造を構成する旋回抑制機構を周方向に展開して示す模式図である。
【図８Ａ】実施例４の環状シール構造を示す模式拡大断面図である。
【図８Ｂ】実施例４の環状シール構造を構成する旋回抑制機構を周方向に展開して示す模式図である。
【発明を実施するための形態】
【００１４】
本発明に係る環状シール構造は、ケーシングと該ケーシング内部に回転可能に配された回転体の外周面との間に形成される該回転体の径方向の隙間である細隙部を備え、高圧側から低圧側に向かって細隙部を通過する流体の流量を抑制するシール部を備え、前記回転体の外周面に旋回抑制機構を備え、前記旋回抑制機構は周方向に間隔を空けて少なくとも２つ以上配置された凸部もしくは凹部から構成され、かつ、前記凸部もしくは凹部は該シール細隙部を通過する流れに対して前記回転体の回転逆方向に傾けて配置されていることを特徴とする。
【００１５】
このような特徴の環状シール構造によれば、シール細隙部を通過する旋回流を、シール内部で回転逆方向に転向することによって、シール内部における旋回速度を抑制することができる。ここで、転向とは、流路の曲がりや遮蔽物などにより流体が流れる方向を異なる方向に変化させることである。
【００１６】
また、本発明に係る環状シール構造においては、前記ケーシングは少なくとも１つ以上の溝を備え、前記旋回抑制機構は、前記溝部に概ね対向する軸方向位置に配置されていることが好ましい。
【００１７】
このような構成によれば、シール溝部において流体が径方向外側にも転向するため、溝内における流体の径方向外側への拡がりを促進し、溝出口部の縮流による圧力損失を大きくすることで、シールの漏れ流量の抑制効果を増大させることができる。
【００１８】
さらに、本発明に係る環状シール構造においては、前記ケーシングの高圧側に前記細隙部に流入する前記回転体の周方向の予旋回を抑制するスワールブレーカを備え、前記シール部の軸方向概中央部に前記旋回抑制機構を配置することが好ましい。予旋回とは、細隙部の入口部での流体の旋回を指す。
【００１９】
このような構成によれば、旋回抑制機構の数を少なくしつつ、シール軸方向全域において旋回流を抑制することができる。
【００２０】
また、本発明に係る環状シール構造においては、前記旋回抑制機構と対向する前記溝の出口部にて、前記ケーシングにスワールブレーカが設けられていることが好ましい。
【００２１】
このような構成によれば、径方向外側に転向した流体が溝出口部のスワールブレーカを通過することとなり、旋回流を抑制する効果を増大させることができる。
【００２２】
また、本発明に係る環状シール構造においては、前記旋回抑制機構が凸部から構成される場合、前記凸部の側面が前記シール部軸方向の入口側から出口側に向かって前記回転体の回転逆方向に曲がった曲面によって構成されていることが好ましい。
【００２３】
このような構成によれば、シール細隙部を通過する旋回流を、シール内部で回転逆方向により滑らかに転向することによって、シール内部における旋回速度をより効果的に抑制することができる。
【００２４】
また、本発明に係る環状シール構造においては、前記旋回抑制機構が凹部から構成される場合、前記凹部の入口側端が前記溝の入口よりも前記シール部入口方向に延長していることが好ましい。
【００２５】
このような構成によれば、流路面積が狭い前記溝のピッチ部に旋回抑制機構凹部の入口が配置されることで、前記細隙部を通過する流体が凹部内により効果的に流入する。これより凹部出口で径方向外側に転向する流体が増加し、溝内の流体の径方向外側への拡がりを促進し、溝出口部における縮流がより激しくなる。そのため、溝出口部での圧力損失が大きくなり、漏れ流量を抑制することが可能となる。
【００２６】
以下、本発明の実施例について図面を参照して詳細に説明する。
【実施例１】
【００２７】
本実施例においては、横軸多段ポンプの環状シール構造として最終段羽根車の背面側に設けられるバランスピストン機構の例を示す。
【００２８】
図１は、実施例１の環状シール構造を備えた横軸多段遠心ポンプの要部を模式的に示したものである。
【００２９】
図１に示すように、バランスピストン機構は、円柱状の回転軸２（回転体）に取り付けられたバランスドラム３と、ケーシングに取り付けられたバランスブッシュ４と、から構成されている。バランスドラム３とバランスブッシュ４との間には、環状の細隙部７が設けられている。そして、バランスドラム３と、バランスブッシュ４と、回転軸２に取り付けられた羽根車１の背面部と、で囲まれた領域として高圧室５が設けられている。バランスドラム３及びバランスブッシュ４の羽根車１に対向する面と反対側には、低圧のバランス室６が設けられている。バランスブッシュ４には、複数の溝１１（溝部）が設けられている。それぞれの溝１１は、周方向に連続していてもよいし、周方向に途切れ途切れで不連続な構造であってもよい。
【００３０】
バランスブッシュ４の高圧室５側には、スワールブレーカ１２が設けられている。スワールブレーカ１２は、バランスブッシュ４の高圧室５側の壁面に複数の凹形状の溝もしくは凸形状のリブを、周方向に間隔を空けて放射状に備えた機構である。バランスドラム３の外周面には、凸形状の旋回抑制機構１０が付設されている。旋回抑制機構１０は、溝１１の一つに対向する位置に配置されている。また、旋回抑制機構１０は、バランスブッシュ４（シール部）の回転軸方向の中央部（回転軸方向の長さＬの細隙部７においてバランスブッシュ４の羽根車１に対向する面と反対側の面から０．５Ｌだけ軸方向の羽根車１側に離れた位置）に配置されている。なお、「中央部」は０．５Ｌという数値に限定されるものではなく、望ましい範囲として０．４Ｌ〜０．６Ｌを含むものとする。更に望ましい範囲は、０．４５Ｌ〜０．５５Ｌである。
【００３１】
図３Ａは、図１の旋回抑制機構１０が配置されていない場合（比較例）における溝１１付近の領域を拡大して示したものである。
【００３２】
図３Ａにおいて、細隙部７における軸方向（ｚ軸方向）の流れである漏れ流れ２１は、太い実線で示している。バランスドラム３と溝１１との間に形成される流路に発生する拡がり流れ２２ａ及び縮流２３ａは、細い実線で示している。
【００３３】
図３Ｂは、図１の旋回抑制機構１０が配置されている領域を拡大して示したものである。
【００３４】
図３Ｂにおいて図３Ａと異なる点は、旋回抑制機構１０と溝１１との間に形成される流路に発生する拡がり流れ２２ｂ及び縮流２３ｂを細い破線で示している点である。
【００３５】
図３Ａと図３Ｂとを比較すると、拡がり流れ２２ｂは、拡がり流れ２２ａよりも漏れ流れ２１に対する拡がり角度が大きい。そして、縮流２３ｂは、縮流２３ａよりも大きな縮み角度で漏れ流れ２１に流入している。
【００３６】
図３Ａの場合、漏れ流れ２１は、高圧室５と低圧室６との圧力差により発生する。漏れ流れ２１は、溝１１の広い空間に噴出することにより、径方向（Ｒ軸方向）の外側に広がり、拡がり流れ２２ａとなる。この拡がり流れ２２ａは、溝１１から流出する際、流路が狭くなり、縮流２３ａとなる。
【００３７】
これに対して、図３Ｂの場合、漏れ流れ２１は、旋回抑制機構１０により妨害され、屈曲した流路を通過する。すなわち、拡がり流れ２２ｂ及び縮流２３ｂとなる。
【００３８】
図３Ｂに示すように、旋回抑制機構１０が細隙部７を通過する漏れ流れ２１を遮ることで、漏れ流れ２１は径方向外側に転向される。これにより、溝１１部での径方向外側への拡がりが促進された拡がり流れ２２ｂが発生する。そして、溝１１出口部の縮流２３ｂが更に著しくなり、圧力損失が大きくなることで、漏れ流量を抑制することが可能となる。
【００３９】
図３Ｃは、図３ＢのＡ−Ａ断面図である。
【００４０】
本図においては、旋回抑制機構１０は、Ａ−Ａ断面の形状も矩形状である。
【００４１】
図３Ｄは、図３ＢのＡ−Ａ断面の変形例である。
【００４２】
本図においては、旋回抑制機構１０ａの断面形状は、スロープ状（三角形状）である。
【００４３】
図３Ｅは、図３ＢのＡ−Ａ断面の変形例である。
【００４４】
本図においては、旋回抑制機構１０ｂの断面形状は、一方は直線状であるが、下に凸のスロープ状の部分を有する。
【００４５】
図４は、図３Ｂの旋回抑制機構１０のバランスドラム３の回転方向における配置を円筒面展開して平面的に示したものである。
【００４６】
図４においては、旋回抑制機構１０は、バランスドラム３の外周面上に複数の凸部が周方向（回転軸方向であるｔ軸方向）に間隔を空けて配置されて構成されている。これら凸部は、漏れ流れ２１ａの流れの向きを転向するように、回転方向と逆方向に傾けて配置されている。図中下向きが回転方向であり、漏れ流れ２１ａと漏れ流れ２１ｂの矢印の向きは、バランスドラム３上の定点から見た相対速度成分の速度ベクトルを示している。
【００４７】
旋回抑制機構１０を構成する複数の凸部は、その上面が長方形状であり、その長方形の長辺がｚｔ平面の第一象限に向かうベクトルに平行している。
【００４８】
図３Ｂに示す細隙部７を通過する漏れ流れ２１は、図４において、漏れ流れ２１ａが、旋回抑制機構１０の隣り合う凸部の間を通過する際に、相対速度ベクトルの周方向成分が回転逆方向に大きくなるように転向された漏れ流れ２１ｂとなり、旋回流が抑制される。
【００４９】
図５は、図４の旋回抑制機構１０である複数の凸部を回転軸方向に見た部分断面図である。
【００５０】
図５においては、バランスドラム３の外周面上に周方向に間隔を空けて配置された旋回抑制機構１０の複数の凸部が示されている。図５は、図３Ｂに示すＡ−Ａ位置での断面図に相当する。そして、バランスドラム３上の定点から見た相対流れ２４が、旋回抑制機構１０の凸部により径方向（Ｒ軸方向）外側に転向される状態が示されている。相対流れ２４は、図４中の漏れ流れ２１ｂの周方向成分に相当する。
【００５１】
なお、旋回抑制機構１０は、バランスドラム３を削り出すことにより形成してもよいし、バランスドラム３とは別部品として製作し、ねじ接合を用いて接合してもよい。
【実施例２】
【００５２】
図６は、実施例２の環状シール構造を示したものである。
【００５３】
本実施例の環状シール構造は、実施例１と概ね同様であり、実施例１との違いは、図６においては、旋回抑制機構１０と対向する溝１１の出口部静止壁面に、周方向に間隔を空けて放射状に突起を配置したスワールブレーカ１２ａが設けられている。旋回抑制機構１０にスワールブレーカ１２ａを組み合わせることで、旋回抑制機構１０によって溝１１内の拡がり流れ２２ｂの拡がり角度が大きくなり、スワールブレーカ１２ａ内へと誘導される。よって、更に効果的に旋回流を抑制することが可能となる。
【実施例３】
【００５４】
図７は、実施例３の環状シール構造を構成する旋回抑制機構を周方向に円筒面展開して示したものである。
【００５５】
本実施例の環状シールは、実施例１と概ね同様であり、実施例１との違いは、図７に示すように、旋回抑制機構１０の複数の凸部のそれぞれが湾曲した形状を有することである。この湾曲した曲線は、ｚｔ平面において下に凸である。すなわち、凸部の側面は、回転方向に膨らんで湾曲している。
【００５６】
漏れ流れ２１ａは、旋回抑制機構１０の隣り合う凸部の間の流路を通過する際に、凸部の側面に沿って流れる向きが転向された漏れ流れ２１ｂとなるが、図４に示す実施例１に比べて、凸部間の入口および流路内での衝突を小さくすることでこの転向が円滑となり、旋回流を更に効果的に抑制することが可能となる。
【実施例４】
【００５７】
図８Ａは、実施例４の環状シール構造の断面を示したものである。図８Ｂは、実施例４の環状シール構造を構成する旋回抑制機構を周方向に展開して示したものである。
【００５８】
実施例４の環状シールは、実施例１と概ね同様であり、実施例１との違いは、旋回抑制機構が凸部ではなく、凹部である溝２０ａで形成されていることである。
【００５９】
図８Ａに示すように、バランスドラム３の溝２０ａは、バランスブッシュ４の溝１１よりもｚ軸負方向、すなわち上流側、に設けられた構成となっている。この構成により、溝２０ａに流入した漏れ流れ２１は、Ｒ軸負方向に拡がり、漏れ流れ２１の下流方向（ｚ軸正方向）にある溝２０ａの出口部側壁面に衝突してＲ軸正方向に転向した後に、溝１１内に流入する。
【００６０】
これにより、実施例１に比べ、溝２０ａ内への流入が促進されるとともに、拡がり流れ２２ｂに溝２０ａ出口部でのＲ軸正方向への拡がり流れが加わることで拡がり角度が大きくなり、縮流２３ｂの縮流角度も大きくなる。そして、溝１１の出口部（ｚ軸正方向側壁面付近）での圧力損失が大きくなるため、漏れ流量を抑制することができる。
【００６１】
溝２０ａの入口側は溝１１の入口よりも細隙部７の入口側に延長しており、流路面積が狭い溝１１のピッチ部に溝２０ａの入口を配置することで、漏れ流れ２１が溝２０ａ内により効果的に流入する。
【００６２】
図８Ｂに示すように、溝２０ａは、周方向（ｔ軸方向）に間隔を空けて複数設けられている。溝２０ａの開口部は、長円形状であり、その長軸がｚｔ平面の第一象限に向かうベクトルに平行している。漏れ流れ２１ａ、漏れ流れ２１ｂの矢印の向きは、バランスドラム３上の定点から見た相対速度成分の速度ベクトルを示している。この構成により、漏れ流れ２１ａは速度ベクトルの周方向成分が回転逆方向に大きくなるよう（破線で示す符号２１ｂの方向）に転向される。これにより、旋回流を低減することが可能となる。  なお、図８Ａに示すように、溝２０ａの側壁面には傾斜を設けてもよい。
【００６３】
また、旋回抑制機構１０はバランスピストン機構だけでなく、インペラリングなど他の環状シールに適用してもよい。
【００６４】
さらに、旋回抑制機構１０、１１は、水車、圧縮機、蒸気タービン、ガスタービンなどの他の流体機械に適用してもよい。
【符号の説明】
【００６５】
１：羽根車、２：回転軸、３：バランスドラム、４：バランスブッシュ、５：高圧室、６：バランス室、７：細隙部、１０：旋回抑制機構（凸形状）、１１：溝、１２、：スワールブレーカ、１２ａ：スワールブレーカ（溝内）、２０ａ：旋回抑制機構を構成する溝、２１、２１ａ、２１ｂ：漏れ流れ、２２ａ、２２ｂ：拡がり流れ、２３、２３ａ、２３ｂ：縮流、２４：相対流れ。
【図１】
2017075621.tif 000003
【図２】
2017075621.tif 000004
【図３Ａ】
2017075621.tif 000005
【図３Ｂ】
2017075621.tif 000006
【図３Ｃ】
2017075621.tif 000007
【図３Ｄ】
2017075621.tif 000008
【図３Ｅ】
2017075621.tif 000009
【図４】
2017075621.tif 000010
【図５】
2017075621.tif 000011
【図６】
2017075621.tif 000012
【図７】
2017075621.tif 000013
【図８Ａ】
2017075621.tif 000014
【図８Ｂ】
2017075621.tif 000015